(57)【要約】【課題】衝撃を効果的に緩和しつつ小型化を図り上で有利なカメラモジュールおよび電子機器を提供する。【解決手段】鏡筒２２からインターポーザー５０の厚さ方向にインターポーザー５０よりも突出させてストッパ６０を突設させ、撮像素子２６が搭載された取り付け面５０Ａと反対のインターポーザー５０の背面５０Ｂにクッション材６２を配置し、ストッパ６０の先端６０をクッション材６２の厚さ方向の中間部に位置させるようにした。外力による衝撃が鏡筒２２に加わった場合に、クッション材６２がインターポーザー５０と第１の筐体１４の内壁１４１０との間で挟まれてその厚さ方向に変形することにより衝撃が緩和される。ストッパ６０の先端６０Ａが第１の筐体１４の内壁１４１０に当接することにより衝撃がストッパ６０を介して鏡筒２２側に伝わる。【選択図】図１０
2009147477.tif 000002
【特許請求の範囲】
【請求項１】
撮影光学系が組み込まれた鏡筒と、
前記撮影光学系によって導かれる被写体像を撮像する撮像面とその反対側に位置する背面とを有する撮像素子と、
前記撮像素子搭載用の板状のインターポーザーとを備え、
前記撮像素子は、前記背面を前記インターポーザーに向けて該インターポーザーに搭載され、
前記撮像素子は前記撮像面を前記鏡筒に向けて該鏡筒に取着されたカメラモジュールであって、
前記鏡筒から前記インターポーザーの厚さ方向に前記インターポーザーよりも突出させてストッパが突設され、
前記撮像素子が搭載された面と反対の前記インターポーザーの面にクッション材が配置され、
前記ストッパの先端は前記クッション材の厚さ方向の中間部に位置している、
ことを特徴とするカメラモジュール。
【請求項２】
前記撮像素子よりも大きな収容空間を有する枠状のホルダが設けられ、
前記撮像素子の前記インターポーザーへの搭載は、前記ホルダの前記収容空間に前記撮像素子が収容された状態で前記ホルダが前記インターポーザーに取り付けられた状態でなされ、
前記撮像素子の前記鏡筒への取着は、前記ホルダが前記鏡筒にねじにより取着されることでなされ、
前記ストッパは前記ねじの頭部で構成されている、
ことを特徴とする請求項１記載のカメラモジュール。
【請求項３】
前記インターポーザーおよび前記クッション材はそれぞれ欠部を有し、
前記ストッパはそれらの前記欠部内に位置している、
ことを特徴とする請求項１記載のカメラモジュール。
【請求項４】
前記ストッパは、互いに間隔をおいた前記鏡筒の複数箇所に設けられている、
ことを特徴とする請求項１記載のカメラモジュール。
【請求項５】
前記撮像素子が搭載された面と反対の前記インターポーザーの面に該インターポーザーを介して前記撮像素子からの撮像信号を伝送するフレキシブル基板が取着され、
前記クッション材は、前記インターポーザーが取着された面と反対の前記フレキシブル基板の面に取着され、
前記クッション材は、前記インターポーザーの面に前記フレキシブル基板が介在した状態で配置されている、
ことを特徴とする請求項１記載のカメラモジュール。
【請求項６】
前記鏡筒に前記撮影光学系の可動レンズを移動させる移動機構が設けられ、
前記移動機構は駆動軸を有するモータを含んで構成され、
前記モータは、前記駆動軸の軸心を前記クッション材に対して直交する方向に向けて前記鏡筒に設けられている、
ことを特徴とする請求項１記載のカメラモジュール。
【請求項７】
前記撮像素子よりも大きな収容空間を有する枠状のホルダが設けられ、
前記撮像素子の前記インターポーザーへの搭載は、前記ホルダの前記収容空間に前記撮像素子が収容された状態で前記ホルダが前記インターポーザーに取り付けられた状態でなされ、
前記撮像素子の前記鏡筒への取着は、前記ホルダが前記鏡筒に取着されることでなされ、
前記ストッパは前記ホルダに設けられている、
ことを特徴とする請求項１記載のカメラモジュール。
【請求項８】
筐体内にカメラモジュールが設けられた撮像装置であって、
前記カメラモジュールは、
撮影光学系が組み込まれた鏡筒と、
前記撮影光学系によって導かれる被写体像を撮像する撮像面とその反対側に位置する背面とを有する撮像素子と、
前記撮像素子搭載用の板状のインターポーザーとを備え、
前記撮像素子は、前記背面を前記インターポーザーに向けて該インターポーザーに搭載され、
前記撮像素子は前記撮像面を前記鏡筒に向けて該鏡筒に取着され、
前記鏡筒から前記インターポーザーの厚さ方向に前記インターポーザーよりも突出し前記筐体の内壁に当接することで前記鏡筒の前記内壁方向への移動限界位置を定めるストッパが設けられ、
前記撮像素子が搭載された面と反対の前記インターポーザーの面に前記筐体の内壁に弾接可能なクッション材が配置され、
前記ストッパの先端は前記クッション材の厚さ方向の中間部に位置している、
ことを特徴とする撮像装置。
【発明の詳細な説明】
【技術分野】
【０００１】
本発明はカメラモジュールおよび撮像装置に関する。
【背景技術】
【０００２】
従来から、撮影光学系が組み込まれた鏡筒と、撮影光学系によって導かれる被写体像を撮像する撮像素子とを備えるカメラモジュールが提供されている（特許文献１参照）。
この種のカメラモジュールでは、撮像素子はインターポーザーに搭載され、このインターポーザーが鏡筒に取着されている。
インターポーザーは、多くの場合、セラミック材料などで構成されていることから耐衝撃性に劣る面があり、したがって、このようなカメラモジュールを撮像装置などの筐体に組み込んで使用する場合には、撮像装置の落下などによりインターポーザーに加わる衝撃を如何にして緩和するかが重要となっている。
例えば、特許文献１には、衝撃を緩和すべき被取り付け部材をダンパー部材を介してねじによって筐体に固定する技術が開示されている。
【特許文献１】特開２００６−２７０８３４
【発明の開示】
【発明が解決しようとする課題】
【０００３】
しかしながら、仮に、インターポーザーをダンパー部材を介して鏡筒に対して取り付けると、撮像素子が撮影光学系に対して容易に移動してしまうことから上記従来技術をカメラモジュールに適用することが困難である。
また、インターポーザーと筐体の内壁との間に衝撃を緩和するクッション材を介在させることも考えられるが、その場合には衝撃のインターポーザーへの伝達を阻止するに足る厚さのクッション材の占有スペースを確保しなくてはならないことから筐体の小型化を図る上で不利があった。
本発明はこのような事情に鑑みなされたもので、その目的は、衝撃を効果的に緩和しつつ小型化を図り上で有利なカメラモジュールおよび電子機器を提供することにある。
【課題を解決するための手段】
【０００４】
上述の目的を達成するため、本発明は、撮影光学系が組み込まれた鏡筒と、前記撮影光学系によって導かれる被写体像を撮像する撮像面とその反対側に位置する背面とを有する撮像素子と、前記撮像素子搭載用の板状のインターポーザーとを備え、前記撮像素子は、前記背面を前記インターポーザーに向けて該インターポーザーに搭載され、前記撮像素子は前記撮像面を前記鏡筒に向けて該鏡筒に取着されたカメラモジュールであって、前記鏡筒から前記インターポーザーの厚さ方向に前記インターポーザーよりも突出させてストッパが突設され、前記撮像素子が搭載された面と反対の前記インターポーザーの面にクッション材が配置され、前記ストッパの先端は前記クッション材の厚さ方向の中間部に位置していることを特徴とする。
また本発明は、筐体内にカメラモジュールが設けられた撮像装置であって、前記カメラモジュールは、撮影光学系が組み込まれた鏡筒と、前記撮影光学系によって導かれる被写体像を撮像する撮像面とその反対側に位置する背面とを有する撮像素子と、前記撮像素子搭載用の板状のインターポーザーとを備え、前記撮像素子は、前記背面を前記インターポーザーに向けて該インターポーザーに搭載され、前記撮像素子は前記撮像面を前記鏡筒に向けて該鏡筒に取着され、前記鏡筒から前記インターポーザーの厚さ方向に前記インターポーザーよりも突出し前記筐体の内壁に当接することで前記鏡筒の前記内壁方向への移動限界位置を定めるストッパが設けられ、前記撮像素子が搭載された面と反対の前記インターポーザーの面に前記筐体の内壁に弾接可能なクッション材が配置され、前記ストッパの先端は前記クッション材の厚さ方向の中間部に位置していることを特徴とする。
【発明の効果】
【０００５】
本発明によれば、外力による衝撃が鏡筒に加わった場合に、クッション材がその厚さ方向に変形することにより衝撃が緩和され、ストッパの先端が筐体の内壁などに当接することにより衝撃がストッパを介して鏡筒側に伝わることでインターポーザーおよび撮像素子に加わる衝撃を効果的に緩和できる。また、クッション材の厚さを薄くすることで筐体内部におけるクッション材の占有スペースを縮小できる。
【発明を実施するための最良の形態】
【０００６】
（第１の実施の形態）
次に本発明の実施の形態について図面を参照して説明する。
図１（Ａ）、（Ｂ）は本実施の形態に係るカメラモジュール２０が組み込まれた撮像装置の一例を示す外観図である。
図１に示すように撮像装置１０は携帯電話機であり、ヒンジ部１２によって揺動可能に連結された第１、第２の筐体１４、１６を有している。
第１の筐体１４の内面には液晶表示パネル１４０２が設けられ、第２の筐体１６の内面にはテンキーや機能キーなどの操作スイッチ１６０２が設けられている。
カメラモジュール２０は、第１の筐体１４の基端部に組み込まれ、カメラモジュール２０で撮像した画像は液晶表示パネル１４０２に表示されるように構成されている。
【０００７】
図２は撮像装置１０の構成を示すブロック図である。
撮像装置１０は、カメラモジュール２０、液晶表示パネル１４０２、操作スイッチ１６０２に加えて、システムコントローラ１６および記録媒体１８などを含んで構成されている。
システムコントローラ１６は、カメラモジュール２０から供給される画像データ（静止画データあるいは動画データ）を液晶表示パネル１４０２に表示させる。
また、システムコントローラ１６は、カメラモジュール２０から供給される画像データの記録媒体１８への記録あるいは、記録媒体１８から読み出した画像データの液晶パネル１４０２への表示を行う。記録媒体１８は、撮像装置１０に内蔵されたメモリ、あるいは、撮像装置１０に設けられたメモリスロットに着脱可能なメモリカードなどで構成されている。
また、システムコントローラ１６は、操作スイッチ１６０２からの操作信号を受け付けてカメラモジュール２０の制御を行う。
【０００８】
カメラモジュール２０は、鏡筒２２、撮影光学系２４、撮像素子２６、フレキシブル基板２８、信号処理部３０、インターポーザー５０（図１０）、ストッパ６０（図１０）、クッション材６２（図１０）などを含んで構成されている。
鏡筒２２は、撮影光学系２４が組み込まれるものである。
撮影光学系２４は、被写体像を撮像素子２６に導くものである。
本実施の形態では、撮影光学系２４は、最も被写体側に位置する対物レンズ２４Ａと、対物レンズ２４Ａの光路を９０度屈曲させるプリズム２４Ｂと、プリズム２４Ｂの下方に配置された第１可動レンズ２４Ｃと、中間レンズ２４Ｄと、第２可動レンズ２４Ｅなどを含んで構成されている。
【０００９】
撮像素子２６は、撮影光学系２４によって導かれた被写体像を撮像して撮像信号を生成するものであり、図６、図７に示すように、撮像面２６Ａと、この撮像面２６Ａの反対側に位置する背面２６Ｂとを有しており、ＣＣＤやＣ−ＭＯＳセンサなど従来公知のさまざまな撮像素子が採用可能である。
インターポーザー５０は、撮像素子２６の搭載用の板状の基板（再配線基板）である。
撮像素子２６は、後述するようにホルダ５２を介し、背面２６Ｂをインターポーザー５０に向けて該インターポーザー５０に搭載されている。
【００１０】
フレキシブル基板２８は、撮像素子２６から供給される撮像信号を信号処理部３０に供給するものである。
信号処理部３０は、撮像信号処理部３０Ａと、画像データ生成部３０Ｂとを備えている。
撮像信号処理部３０Ａは、撮像素子２６から供給される撮像信号に対して、シェーディング処理、カラー調整、ガンマ補正、シャープネス処理など従来公知のさまざまな信号処理を行い画像信号として出力するものである。
画像データ生成部３０Ｂは、撮像信号処理部３０Ａから供給される画像信号に対して所定のエンコードなどを行いＪＰＥＧなどの所定形式の画像データを生成し、システムコントローラ１６に供給するものである。
本実施の形態では、図３に示すように、鏡筒２２の左側面２２Ｃにプリント基板３２が取り付けられ、信号処理部３０は、プリント基板３２にＤＳＰや種々の電子部品が実装されることで構成されている。
そして、フレキシブル基板２８に設けられたフレキシブル基板側コネクタ２８１０がプリント基板３２に設けられたプリント配線基板側コネクタ３２１０に結合されることで撮像素子２６の撮像信号が信号処理部３０に供給される。
また、プリント基板３２にはズーム用ドライバ３８およびフォーカス用ドライバ４０が設けられている。
ズーム用ドライバ３８およびフォーカス用ドライバ４０は、システムコントローラ１６から与えられる制御信号に基づいて動作することにより後述するズーム用アクチュエータ３４およびフォーカス用アクチュエータ３６に供給する駆動信号をそれぞれ生成し、フレキシブル基板２８とは別に設けられたフレキシブル基板４２（図３）を介して供給する。なお、図２において符号４２０２はフレキシブル基板４２のコネクタを示し、符号３２０２はプリント配線基板３２のコネクタを示し、これらコネクタ４２０２、３２０２が接続されるように構成されている。
また、図示しないが、鏡筒２２には、第１可動レンズ２４Ｃや第２可動レンズ２４Ｅの位置検出を行うための位置センサが設けられており、それら位置センサからの検出信号はフレキシブル基板４２とプリント配線基板３２を介してシステムコントローラ１６に供給され、それら検出信号はシステムコントローラ１６によるズーム動作およびフォーカス動作のために使用されている。
【００１１】
図３、図４はカメラモジュール２０の斜視図、図５はカメラモジュール２０の分解斜視図、図６は撮像素子２６の取り付け構造を示す分解斜視図、図７は撮像素子２６が撮像素子基板に取り付けられた斜視図、図８はホルダ取り付け用ねじ５４の側面図、図９はホルダ取り付け用ねじ５４の斜視図、図１０はカメラモジュール２０の下部の正面図、図１１はカメラモジュール２０の下部の正面拡大図である。
【００１２】
図３、図４に示すように、鏡筒２２は断面が長方形の扁平な矩形板状を呈している。
鏡筒２２は、高さと、高さよりも小さい寸法の幅と、幅よりも小さい寸法の厚さとを有している。なお、本明細書において左右は被写体側から見ていうものとする。
鏡筒２２は、図３に示すように、表面２２Ａと、表面２２Ａの反対に位置する背面２２Ｂと、左右側方に臨む左右の側面２２Ｃ、２２Ｄと、上方に臨む上面２２Ｅ、下方に臨む底面２２Ｆとを有している。表面２２Ａと背面２２Ｂは鏡筒２２の厚さ方向の両端に位置し、上面２２Ｅと底面２２Ｆは鏡筒２２の高さ方向の両端に位置し、左右の側面２２Ｃ、２２Ｄは鏡筒２２の幅方向の両端に位置している。
対物レンズ２４Ａは表面２２Ａの上部に設けられている。
【００１３】
ズーム用アクチュエータ３４およびフォーカス用アクチュエータ３６は、筐体２２の右側部（右側面２２Ｄの内側）に組み込まれている。
本実施の形態では、ズーム用アクチュエータ３４およびフォーカス用アクチュエータ３６はそれぞれモータによって構成され、それらの駆動軸の軸心は鏡筒２２の高さ方向（上下方向）と平行している。
ズーム用アクチュエータ３４のモータの駆動軸に送りねじが連結され、この送りねじに第１可動レンズ２４Ｃに取り付けられた雌ねじが螺合している。ズーム用アクチュエータ３４のモータにより送りねじ、雌ねじを介して第１可動レンズ２４Ｃが光軸方向に移動し、これにより撮影光学系２４のズーミング動作がなされる。
フォーカス用アクチュエータ３６のモータの駆動軸に送りねじが連結され、この送りねじに第２可動レンズ２４Ｅに取り付けられた雌ねじが螺合している。フォーカス用アクチュエータ３６のモータにより送りねじ、雌ねじを介して第２可動レンズ２４Ｅが光軸方向に移動し、これにより撮影光学系２４の合焦動作がなされる。
図５に示すように、鏡筒２２の底面２２Ｆの中央部に、撮影光学系２４に臨む開口２２Ｇが設けられている。
また、鏡筒２２の底面２２Ｆの互いに対向する角部にねじ孔２２１０が設けられている。
なお、本実施の形態では、撮影光学系の可動レンズを移動させる移動機構のモータは、ズーム用アクチュエータ３４のモータと、フォーカス用アクチュエータ３６のモータである。
【００１４】
図５に示すように、撮像素子２６は、その撮像面２６Ａを、鏡筒２２の底面２２Ｆに設けられた開口２２Ｇを介して撮影光学系２４に臨ませた状態で鏡筒２２に取り付けられている。
詳細に説明すると、インターポーザー５０は例えばセラミック材料により撮像素子２６よりも大きな輪郭を有する矩形板状に形成され、厚さ方向の一方に位置し撮像素子２６が取り付けられる取り付け面５０Ａとその反対側に位置する背面５０Ｂとを有している。
図７に示すように、インターポーザー５０の取り付け面５０Ａ中央に撮像素子２６の背面２６Ｂが重ね合わされて接着剤などにより取着されており、撮像素子２６とインターポーザー５０とは不図示のワイヤボンディングにより電気的に接続されている。なお、図中符号２１は撮像面２０Ａの撮像領域を示す。
【００１５】
さらに、図６に示すように、インターポーザー５０の背面５０Ｂにはフレキシブル基板２８が半田付けにより電気的に接続され、または、半田付けによる電気的接続と共に接着剤などにより取着されており、これにより撮像素子２６からの撮像信号がインターポーザー５０とフレキシブル基板２８を介して信号処理部３０（図２）に供給されるように構成されている。
ホルダ５２は、撮像素子２６よりも大きくかつインターポーザー５０よりも小さい輪郭の矩形状の収容空間Ｓを区画する枠状を呈し、厚さ方向の一方の面である取り付け面５２Ａとその反対側に位置する背面５２Ｂとを有している。
ホルダ５２の対向する２つの角部には、厚さ方向に貫通するねじ挿通孔５２０２がそれぞれ形成されている。
ホルダ５２は、収容空間Ｓに撮像素子２６を収容した状態で背面５２Ｂの全周がインターポーザー５０の取り付け面５０Ａに接着剤で接着されることで取着されている。
ホルダ５２の取り付け面５２Ａの収容空間Ｓの周囲には凹部が設けられ、収容空間Ｓを閉塞する大きさの透明なカバーガラス５６がこの凹部に接着剤により接着されている。なお、カバーガラス５６は光学フィルタの機能を有していてもよい。
したがって、収容空間Ｓ内の撮像素子２６はインターポーザー５０、ホルダ５２、カバーガラス５６によって封止される。
そして、図５に示すように、撮像素子２６を開口２２Ｇに臨ませた状態でホルダ５２の取り付け面５２Ａが鏡筒２２の底面２２Ｆに合わされ、ホルダ取り付け用ねじ５４がホルダ５２の各ねじ挿通孔５２を挿通し、鏡筒２２の底面２２Ｆの各ねじ孔２２１０にそれぞれ螺合することでホルダ５２が取着され、これにより、撮像素子２６、インターポーザー５０、ホルダ５２、カバーガラス５６、フレキシブル基板２８が鏡筒２２に取り付けられる。
【００１６】
このように撮像素子２６、インターポーザー５０、ホルダ５２、カバーガラス５６、フレキシブル基板２８が鏡筒２２に取り付けられた状態で、ホルダ取り付け用ねじ５４は、底面２２Ｆの互いに対向する角部およびホルダ５２の互いに対向する角部に位置しており、これらの角部は、インターポーザー５０の外側に位置する箇所であり、また、これらの箇所に対応するフレキシブル基板２８部分に欠部２８１０がそれぞれ設けられている。
【００１７】
ストッパ６０は、図１０、図１１に示すように、鏡筒２２の底面２２Ｆからインターポーザー５０の厚さ方向にインターポーザー５０よりも突出させて設けられている。
ストッパ６０は、撮像装置１０の第１の筐体１４の内壁１４１０に当接することで鏡筒２２の内壁１４１０方向への移動限界位置を定めるものである。
本実施の形態では、ホルダ取り付け用ねじ５４の頭部５４０６によりストッパ６０が構成されており、したがって、ストッパ６０は、鏡筒２２の底面２２Ｆの互いに対向する角部に位置している。
より詳細に説明すると、ホルダ取り付け用ねじ５４は、図８、図９に示すように、雄ねじ５４０２と、雄ねじ５４０２の端部に設けられた鍔部５４０４と、鍔部５４０４から雄ねじ５４０２と同軸上に突出する円柱状の頭部５４０６とを有し、頭部５４０４の平坦な頂面に工具が係合される回転操作用の係合凹部５４０８が設けられている。
ストッパ６０は、係合凹部５４０８が設けられた頭部５４０４により構成され、ストッパ６０の先端６０Ａは頭部５４０４の平坦な頂面により構成されている。
【００１８】
クッション材６２は、インターポーザー５０の背面５０Ｂにフレキシブル基板２８を介して接着剤により取着されている。
クッション材６２としては、従来公知の衝撃吸収材料が採用可能であり、このような衝撃吸収材料としては、例えば、衝撃緩衝用ゲル、ゴム、発泡ポリウレタン、発泡ポリスチレンなどが挙げられる。
クッション材６２は、第１の筐体１４の内壁１４１０に弾接可能に設けられ、本実施の形態では、第１の筐体１４の内壁１４１０に接触して、または、弾接して配置され、外力による撮像素子２６およびインターポーザー５０への衝撃の緩和が図られている。なお、クッション材６２を、第１の筐体１４の内壁１４１０から離間して配置するなど任意である。
したがって、本実施の形態では、クッション材６２によって吸収される衝撃の方向は、インターポーザー５０の厚さ方向であり、撮像素子２６の厚さ方向であり、鏡筒２２の高さ方向（上下方向）である。
図５に示すように、ねじ孔２２１０が設けられた鏡筒２２の角部に対応するクッション材６２の部分には、ホルダ取り付け用ねじ５４を挿通させるための欠部６２０２が設けられ、ホルダ取り付け用ねじ５４の頭部５４０６は、すなわちストッパ６０は、この欠部６２０２とフレキシブル基板２８の欠部２８１０内に位置している。
【００１９】
そして、ストッパ６０の先端はクッション材６２の厚さ方向の中間部に位置しており、外力による衝撃が加わった際に、その衝撃をクッション材６２により緩和したのちにストッパ６０の先端６０Ａが第１の筐体１４の内壁１４１０に当接するように設けられている。
【００２０】
以上説明したように、本実施の形態によれば、鏡筒２２からインターポーザー５０の厚さ方向にインターポーザー５０よりも突出させてストッパ６０を突設させ、撮像素子２６が搭載された取り付け面５０Ａと反対のインターポーザー５０の背面５０Ｂにクッション材６２を配置し、ストッパ６０の先端６０をクッション材６２の厚さ方向の中間部に位置させるようにした。
したがって、外力による衝撃が鏡筒２２に加わった場合に、クッション材６２がインターポーザー５０と第１の筐体１４の内壁１４１０との間で挟まれてその厚さ方向に変形することにより衝撃が緩和されることは無論のこと、さらにクッション材６２が厚さ方向に変形したとしてもストッパ６０の先端６０Ａが第１の筐体１４の内壁１４１０に当接することにより衝撃がストッパ６０を介して鏡筒２２側に伝わるので、衝撃がインターポーザー５０および撮像素子２６に対して直接伝わることがないため、インターポーザー５０および撮像素子２６に加わる衝撃を効果的に緩和でき、カメラモジュール２０の耐久性および信頼性の向上を図る上で有利となる。
また、ストッパ６０の先端６０をクッション材６２の厚さ方向の中間部に位置させるようにしたので、クッション材６２の厚さを薄くすることで第１の筐体１４内部におけるクッション材６２、すなわち、カメラモジュール２０の占有スペース縮小でき、第１の筐体１４の小型化を図る上で有利となる。
【００２１】
また本実施の形態では、モータの駆動軸の軸心はクッション材６２に対して直交する方向に延在しており、クッション材６２によって吸収される衝撃の方向がズーム用アクチュエータ３４およびフォーカス用アクチュエータ３６を構成するモータの駆動軸の延在方向と合致しているので、それらモータの駆動軸に連結された送りねじおよび雌ねじ、並びに、ズーム用アクチュエータ３４およびフォーカス用アクチュエータ３６に加わる衝撃も効果的に緩和され、カメラモジュール２０の耐久性および信頼性の向上を図る上でより一層有利となる。
【００２２】
（第２の実施の形態）
図１２は第２の実施の形態におけるカメラモジュール２０の要部断面図である。
第２の実施の形態では、ストッパ８０がホルダ５２に一体に設けられている点が第１の実施の形態と異なっている。
すなわち、第１の実施の形態と同様に、撮像素子２６よりも大きな収容空間Ｓを有する枠状のホルダ５２が設けられ、撮像素子２６のインターポーザー５０への搭載は、ホルダ５２の収容空間Ｓに撮像素子２６が収容された状態でホルダ５２がインターポーザー５０に取り付けられた状態でなされている。
また、撮像素子２６の鏡筒２２への取着は、ホルダ５２が鏡筒２２にねじなどで取着されることでなされている。
そして、ストッパ８０がホルダ５２に一体に設けられ、ストッパ８０の先端はクッション材６２の厚さ方向の中間部に位置しており、外力による衝撃が加わった際に、その衝撃をクッション材６２により緩和したのちにストッパ８０の先端８０Ａが第１の筐体１４の内壁１４１０に当接するように設けられている。
ストッパ８０は、第１の実施の形態と同様に、互いに間隔をおいた複数箇所に設けてもよく、あるいは、クッション材６２の周囲全周に設けてもよい。
このような第２の実施の形態によっても第１の実施の形態と同様な効果が奏される。
【００２３】
また、実施の形態では、撮像装置として携帯電話機を用いて説明したが、本発明は、デジタルスチルカメラ、ビデオカメラ、その他種々の撮像装置に適用可能である。
【図面の簡単な説明】
【００２４】
【図１】（Ａ）、（Ｂ）は本実施の形態に係るカメラモジュール２０が組み込まれた撮像装置の一例を示す外観図である。
【図２】撮像装置１０の構成を示すブロック図である。
【図３】カメラモジュール２０の斜視図である。
【図４】カメラモジュール２０の斜視図である。
【図５】カメラモジュール２０の分解斜視図である。
【図６】撮像素子２６の取り付け構造を示す分解斜視図である。
【図７】撮像素子２６が撮像素子基板に取り付けられた斜視図である。
【図８】ホルダ取り付け用ねじ５４の側面図である。
【図９】ホルダ取り付け用ねじ５４の斜視図である。
【図１０】カメラモジュール２０の下部の正面図である。
【図１１】カメラモジュール２０の下部の正面拡大図である。
【図１２】第２の実施の形態におけるカメラモジュール２０の要部断面図である。
【符号の説明】
【００２５】
１０……撮像装置、２０……カメラモジュール、２２……鏡筒、２４……撮影光学系、２６……撮像素子、２６Ａ……撮像面、２６Ｂ……背面、５０……インターポーザー、６０、８０……ストッパ、６０Ａ、８０Ａ……先端、６２……クッション材。
【図１】
2009147477.tif 000003
【図２】
2009147477.tif 000004
【図３】
2009147477.tif 000005
【図４】
2009147477.tif 000006
【図５】
2009147477.tif 000007
【図６】
2009147477.tif 000008
【図７】
2009147477.tif 000009
【図８】
2009147477.tif 000010
【図９】
2009147477.tif 000011
【図１０】
2009147477.tif 000012
【図１１】
2009147477.tif 000013
【図１２】
2009147477.tif 000014